(57)【要約】  アイウェアのフレームを構成するフレーム部品は、第一凹部が形成された第一面、および第一凹部に開口する第一孔を有する筐体と、第一凹部に配置された第一デバイスと、第一孔に挿通され、第一デバイスを筐体に固定する締結部材と、を備える。このように構成することにより、デバイスが設けられた部分の厚さ寸法を小さくできるフレーム部品を提供する。
2019059380.tif 000002
【特許請求の範囲】
【請求項１】
アイウェアのフレームを構成するフレーム部品であって、
第一凹部が形成された第一面、および前記第一凹部に開口する第一孔を有する筐体と、
前記第一凹部に配置された第一デバイスと、
前記第一孔に挿通され、前記第一デバイスを前記筐体に固定する締結部材と、
を備える、フレーム部品。
【請求項２】
前記筐体の収容空間に配置され、基板側貫通孔を有する基板を、さらに備え、
前記締結部材が、前記基板側貫通孔に挿通されている、請求項１に記載のフレーム部品。
【請求項３】
前記筐体が、所定方向において前記第一面と対向し、第二凹部および前記第二凹部に開口する第二孔を有する第二面を備える、請求項２に記載のフレーム部品。
【請求項４】
前記第一凹部と前記第二凹部とが、前記フレームの厚さまたは高さ方向において、少なくとも一部で重なっている、請求項３に記載のフレーム部品。
【請求項５】
前記締結部材は、前記筐体の外部から前記第二孔を通過して前記収容空間に配置可能である、請求項３に記載のフレーム部品。
【請求項６】
前記締結部材が、前記第二孔に挿通されている、請求項３に記載のフレーム部品。
【請求項７】
前記第二凹部に、第二デバイスが配置されている、請求項３〜６の何れか一項に記載のフレーム部品。
【請求項８】
前記第一デバイスと前記第二デバイスとが、前記フレームの厚さまたは高さ方向において、少なくとも一部で重なっている、請求項７に記載のフレーム部品。
【請求項９】
前記基板が、前記第一デバイスおよび前記第二デバイスと電気的に接続される制御部を有する、請求項７または８に記載のフレーム部品。
【請求項１０】
前記第一デバイスおよび前記第二デバイスは、音響装置、映像装置、発光装置、およびセンサ装置から選択される少なくとも１種類の装置である、請求項７〜９の何れか一項に記載のフレーム部品。
【請求項１１】
ユーザが装着した状態において、前記第二面が、ユーザと対向する面であり、
前記第一デバイスが、カメラ、ディスプレイ、タッチセンサの何れかであり、
前記第二デバイスが、発光装置、スピーカ、マイク、プロジェクタの何れかである、請求項７〜１０の何れか一項に記載のフレーム部品。
【請求項１２】
前記筐体は、前記第二凹部に開口する保持部を有し、前記第二デバイスの一部が前記保持部に保持されている、請求項７〜１１の何れか一項に記載のフレーム部品。
【請求項１３】
前記筐体の収容部に配置される第一光源と、
前記第二デバイスであり、前記第一光源が射出する光を前記筐体の外部に導光する導光体を含む導光部と、
前記導光部により導光される前記光が通過可能な透光部を有し、前記導光部の少なくとも一部を外側から覆う第三デバイスと、をさらに備える、請求項７または８に記載のフレーム部品。
【請求項１４】
前記導光部および前記第三デバイスは、前記第二凹部に配置されている、請求項１３に記載のフレーム部品。
【請求項１５】
前記筐体が、前記第二凹部に開口する保持部を有し、
前記第一光源は前記保持部に隣接して前記収容部に配置され、
前記導光部の一部は前記保持部に挿入され、
前記第一光源が射出する光は、前記保持部に挿入された前記導光部の一部に入射される、請求項１３または１４に記載のフレーム部品。
【請求項１６】
請求項１〜１５の何れか一項に記載のフレーム部品により構成されるアイウェア用のテンプルであって、
前記筐体が、テンプルの外形を構成している、
テンプル。
【請求項１７】
前記第一凹部は、前記筐体の長手方向における前半部に配置されている、請求項１６に記載のテンプル。
【請求項１８】
アイウェア用のフレームであって、
請求項１６または１７に記載のテンプル
を有する、フレーム。
【請求項１９】
電気的制御により光学特性が変化する光学部品と、前記光学部品を保持する請求項１８に記載のフレームと、前記光学部品の電気的制御を行う制御部と、を有するアイウェア。
【請求項２０】
前記光学部品は、電気的制御により光学特性が変化する電気活性領域を有する一対のレンズであり、
前記制御部は、入力された操作信号に応じて、前記一対のレンズに電圧を印加するか、または前記一対のレンズへの電圧の印加を停止して、前記一対のレンズの前記電気活性領域の光学特性を切替える請求項１９に記載の、アイウェア。
【発明の詳細な説明】
【技術分野】
【０００１】
本発明は、フレーム部品、テンプル、フレーム、およびアイウェアに関する。
【背景技術】
【０００２】
特許文献１には、可変焦点部を有する一対のレンズを備えた電子メガネに関する発明が開示される。このような電子メガネの場合、可変焦点部は、電圧の印加により、焦点距離（屈折率ともいう。）を切替え可能に構成される。【０００３】
可変焦点部における焦点距離の切換を制御するために、特許文献１に記載の電子メガネは、テンプルにおける外側面に、電源部、センサ部、制御部、および回路部などの複数のデバイスを備える。【０００４】
また、特許文献２には、透過状態と非透過状態とを電圧印加により切り換え可能な一対のレンズを備えた電子メガネに関する発明が開示される。【０００５】
特許文献２に記載の電子メガネは、テンプルに、透過状態と非透過状態とを切り換えるための制御装置を備える。また、特許文献２に記載の電子メガネは、テンプルの内部空間に、電子メガネの状態に応じた光を射出する光源（ＬＥＤ）を有する。このような光源が射出した光は、導光部材を介してテンプルの外部に導光される。
【先行技術文献】
【特許文献】
【０００６】
【特許文献１】国際公開第２０１３／０８８６３０号
【特許文献２】特開２０１７−４９５６５号公報
【発明の概要】
【発明が解決しようとする課題】
【０００７】
ところで、特許文献１に記載の電子メガネの場合、平坦面であるテンプルの外側面に、上記複数のデバイスが設けられる。このため、テンプルにおける上記複数のデバイスが設けられた部分の寸法が大きくなってしまう、可能性がある。【０００８】
本発明の目的は、デバイスが設けられた部分の寸法の小型化を可能とするフレーム部品、テンプル、フレーム、およびアイウェアを提供することである。
【課題を解決するための手段】
【０００９】
本発明に係るフレーム部品は、アイウェアのフレームを構成するフレーム部品であって、第一凹部が形成された第一面、および第一凹部に開口する第一孔を有する筐体と、第一凹部に配置された第一デバイスと、第一孔に挿通され、第一デバイスを筐体に固定する締結部材と、を備える。【００１０】
本発明に係るテンプルは、上記フレーム部品により構成されるアイウェア用のテンプルであって、筐体が、テンプルの外形を構成する。【００１１】
本発明に係るフレームは、アイウェア用のフレームであって、一対のレンズを保持するためのフロントと、フロントに接続される、上記テンプルと、を有する。【００１２】
本発明に係るアイウェアは、電気的制御により光学特性が変化する電気活性領域を有する一対のレンズと、一対のレンズを保持する上記フレームと、入力された操作信号に応じて、一対のレンズに電圧を印加するか、または一対のレンズへの電圧の印加を停止して、一対のレンズの電気活性領域の光学特性を切替えるための制御部と、を有する。
【発明の効果】
【００１３】
本発明によれば、デバイスが設けられた部分の寸法を小さくできるフレーム部品、テンプル、フレーム、およびアイウェアを提供できる。
【図面の簡単な説明】
【００１４】
【図１】図１は、実施形態１に係る電子メガネの構成の一例を示す斜視図である。
【図２】図２は、電子メガネの内部回路を示すブロック図である。
【図３】図３は、レンズの構成の一例を説明するための断面模式図である。
【図４】図４は、テンプルを幅方向における内側から見た分解斜視図である。
【図５】図５Ａは、テンプルの外側面図であって、図５Ｂは、テンプルの内側面図である。
【図６】図６Ａは、テンプルの筐体のみを前方から見た前端面図であって、図６Ｂは、基板が組み付けられた状態の筐体を前方から見た前端面図である。
【図７】図７は、前端部カバーの斜視図である。
【図８】図８は、図４に示すテンプルを、筐体のみＤ−Ｄ線で切断した部分断面図である。
【図９】図９は、図８のＸ部拡大図である。
【図１０】図１０は、図８のＸ部に相当する部分の断面図である。
【図１１】図１１は、図８のＸ部に相当する部分の断面斜視図である。
【図１２】図１２Ａは、図８のＸ部に相当する部分の断面模式図であって、図１２Ｂは、接続部材により被接触部材を筐体に固定する方法を説明するための断面模式図である。
【図１３】図１３Ａは、導光部材の平面図であって、図１３Ｂは、導光部材の側面図である。
【図１４】図１４は、検出部の構造を示す模式図である。
【図１５】図１５Ａは、筐体に基板を挿入する途中の断面図であって、図１５Ｂは、筐体に基盤を挿入し終わった状態を示す断面図である。
【図１６】図１６Ａは、筐体に接着部材を組み付けた状態を示す部分平面図であって、図１６Ｂは、筐体に側部カバーを組み付けた状態を示す部分平面図である。
【図１７】図１７は、実施形態２に係る電子メガネのテンプルにおける、図８のＸ部に相当する部分の断面模式図である。
【図１８】図１８は、実施形態３に係る電子メガネのテンプルにおける、図８のＸ部に相当する部分の断面模式図である。
【図１９】図１９は、実施形態４に係る電子メガネのテンプルにおける、図８のＸ部に相当する部分の断面模式図である。
【発明を実施するための形態】
【００１５】
以下、本発明のいくつかの実施形態について、図面を用いて詳細に説明する。以下の説明では、本発明に係るフレーム部品、テンプル、およびフレームが組み込まれるアイウェアの代表例として、電気的制御により光学特性が変化する電気活性領域を含むレンズを有する電子メガネについて説明する。
【００１６】
［実施形態１］
（電子メガネの構成）
図１は、本実施形態に係る電子メガネ１００の構成の一例を示す斜視図である。図２は、本実施形態に係る電子メガネ１００の内部回路を示すブロック図である。電子メガネ１００は、一対のレンズ１１０、フレーム１２０、制御部１６０（図２参照）、および電源１７０を有する。
【００１７】
フレーム１２０は、フロント１３０、および一対のテンプル１４０（フレーム部品ともいう。）を有する。なお、以下、フロント１３０が配置される部分を電子メガネ１００の正面（前方）として説明する。
【００１８】
また、以下の説明において特に断ることなく、「前後方向」、「幅方向」、および「上下方向」といった場合には、ユーザがメガネとして装着できる展開状態（図１に示す状態）における電子メガネ１００の各方向をいう。
【００１９】
一例として、電子メガネ１００の前後方向とは、装着時におけるユーザの前後方向である。また、電子メガネ１００の幅方向とは、装着時におけるユーザの左右方向である。さらに、電子メガネ１００の上下方向とは、装着時におけるユーザの天地方向である。
【００２０】
（レンズについて）
図３は、図１のＡ−Ａ線における断面図であって、レンズ１１０の構成の一例を説明するための断面模式図である。なお、図３において、レンズ１１０の曲率は、ゼロである。
【００２１】
一対のレンズ１１０は、電子メガネ１００を正面視したときに、左右対称となるように形成されており、互いに同一の構成要素を有する。そこで、以下の説明では、電子メガネ１００の右目用のレンズ１１０について説明し、左目用のレンズ１１０の構成要素については、その説明を省略する。
【００２２】
レンズ１１０は、電圧によりその焦点距離（度数）を切替え可能な第一領域１１０１（電気活性領域ともいう。）、および第一領域１１０１以外の領域に配置される第二領域１１０２を有する。レンズ１１０は、球面レンズであってもよいし、非球面レンズであってもよい。レンズ１１０の形状は、所期の光学パワーに応じて適宜調整されうる。
【００２３】
第一領域１１０１の形状、大きさおよび位置は、レンズ１１０の大きさやレンズ１１０の用途などに応じて適宜設計されうる。レンズ１１０の用途の例には、遠近両用レンズ、中近両用レンズ、および近々両用レンズが含まれる。第一領域１１０１の形状の例には、円形状および楕円形状が含まれる。
【００２４】
本実施形態では、第一領域１１０１の形状は、電子メガネ１００の左右方向（幅方向ともいう。）を長軸とする楕円形状である。また、第一領域１１０１は、図１に示されるように、レンズ１１０を正面視したときに、レンズ１１０の中央部より下側に配置される。
【００２５】
図３に示されるように、第一領域１１０１は、後方側（図３の下側）から順に、第一基板１１１、第一電極１１２、液晶層１１３、第二電極１１４、および第二基板１１５を有する。
【００２６】
第二領域１１０２は、後方側から順に、第一基板１１１、第一電極１１２、接着層１１６、第二電極１１４、および第二基板１１５を有する。各構成要素は、可視光に対して透光性を有する。
【００２７】
第一基板１１１は、電子メガネ１００において、レンズ１１０の後方側（ユーザ側）に配置される。第一基板１１１は、電子メガネ１００の前方側に向かって凸状となるように湾曲する。第一基板１１１の曲率および形状は、所期の光学パワーに応じて適宜調整されうる。
【００２８】
第一基板１１１は、第一領域１１０１に対応する領域に配置される回折領域１１７を含む。回折領域１１７には、第一基板１１１の一方の面（前方側の面）において、中央部分に配置される半球状の凸部１１７１と、凸部１１７１の外側に配置される複数の円環状の第一凸条１１７２とが形成される。
【００２９】
凸部１１７１および第一凸条１１７２の形状は、電子メガネ１００の前方から入射した光を回折するときの、所期の光学パワーに応じて適宜調整されうる。凸部１１７１および第一凸条１１７２の形状の例には、フレネルレンズ形状が含まれる。
【００３０】
凸部１１７１および第一凸条１１７２の一部がフレネルレンズ形状であってもよいし、凸部１１７１および第一凸条１１７２の全部がフレネルレンズ形状であってもよい。
【００３１】
第一基板１１１の材料は、透光性を有していれば特に限定されない。たとえば、第一基板１１１の材料としては、レンズの材料として使用されうる公知の材料が使用されうる。第一基板１１１の材料の例には、ガラスおよび樹脂が含まれる。
【００３２】
当該樹脂の具体例には、ポリメチルメタクリレート、ポリカーボネート、ポリジエチレングリコールビスアリルカーボネートおよびポリスチレンが含まれる。
【００３３】
第一電極１１２および第二電極１１４は、透光性を有する一対の透明電極である。第一電極１１２は、第一基板１１１と液晶層１１３との間に配置される。第二電極１１４は、液晶層１１３と第二基板１１５との間に配置される。
【００３４】
第一電極１１２および第二電極１１４は、少なくとも液晶層１１３に電圧を印加しうる範囲（第一領域１１０１）に亘って配置されていればよい。
【００３５】
第一電極１１２および第二電極１１４の材料は、所期の透光性および導電性を有していれば特に限定されない。第一電極１１２および第二電極１１４の材料の例には、酸化インジウムスズ（ＩＴＯ）および酸化亜鉛（ＺｎＯ）が含まれる。第一電極１１２および第二電極１１４の材料は、互いに同じであってもよいし、互いに異なっていてもよい。
【００３６】
液晶層１１３は、第一電極１１２と第二電極１１４との間に配置される。液晶層１１３は、電圧の印加の有無に応じて、その屈折率が変化するように構成される。例えば、液晶層１１３の屈折率は、液晶層１１３に電圧が印加されていない状態において、第一基板１１１の屈折率および第二基板１１５の屈折率とほぼ同じであるように調整される。一方、液晶層１１３の屈折率は、液晶層１１３に電圧が印加されている状態において、第一基板１１１の屈折率および第二基板１１５の屈折率と異なるように調整される。
【００３７】
液晶層１１３は、液晶材料を含有する。電圧が印加されているときの当該液晶材料の配向状態と、電圧が印加されていないときの当該液晶材料の配向状態とは、互いに異なる。液晶材料は、第一基板１１１の屈折率および第二基板１１５の屈折率に応じて、適宜選択されうる。たとえば、液晶材料は、コレステリック液晶やネマチック液晶などにより構成されうる。
【００３８】
第二基板１１５は、電子メガネ１００において、レンズ１１０の前方側に配置される。第二基板１１５も、電子メガネ１００の前方側に向かって凸状となるように湾曲する。第二基板１１５の曲率は、第一基板１１１の曲率に対応する。第二基板１１５の材料の例は、第一基板１１１の材料と同じである。
【００３９】
接着層１１６は、第二領域１１０２において、第一基板１１１と第二基板１１５との間に配置されており、第一基板１１１と第二基板１１５とを接着する。第一電極１１２および第二電極１１４が、第二領域１１０２にも配置される場合には、接着層１１６は、第一電極１１２と第二電極１１４との間に配置される。また、接着層１１６は、液晶層１１３を構成する液晶材料を封止する機能も有する。
【００４０】
接着層１１６は、接着剤の硬化物により構成される。当該接着剤の材料は、所期の透光性を有し、かつ第一基板１１１と第二基板１１５とを適切に接着することができれば特に限定されない。レンズ１１０の光学パワーを調整する観点から、所期の屈折率を有する接着剤が選択されうる。
【００４１】
レンズ１１０は、必要に応じて、透光性を有する他の構成要素をさらに有してもよい。当該他の構成要素の例には、絶縁層および配向膜が含まれる。
【００４２】
絶縁層は、第一電極１１２と第二電極１１４との間の導通を防止する。たとえば、絶縁層は、第一電極１１２と液晶層１１３との間と、液晶層１１３と第二電極１１４との間とにそれぞれ配置される。絶縁層の材料としては、透光性を有する絶縁層として使用されうる公知の材料が使用されうる。絶縁層の材料の例には、二酸化ケイ素が含まれる。
【００４３】
配向膜は、液晶層１１３における液晶材料の配向状態を制御する。たとえば、配向膜は、第一電極１１２と液晶層１１３との間と、液晶層１１３と第二電極１１４との間とにそれぞれ配置される。配向膜の材料としては、液晶材料の配向膜として使用されうる公知の材料が使用されうる。配向膜の材料の例には、ポリイミドが含まれる。
【００４４】
レンズ１１０は、例えば、下記の製造方法により製造されうる。まず、第一基板１１１および第二基板１１５を準備する。第一基板１１１および第二基板１１５は、例えば、射出成形により製造されうる。
【００４５】
つぎに、第一基板１１１上に第一電極１１２を形成し、第二基板１１５上に第二電極１１４を形成する。第一基板１１１上に第一電極１１２を形成する方法と、第二基板１１５上に第二電極１１４を形成する方法の例には、真空蒸着法およびスパッタリングが含まれる。
【００４６】
つぎに、第一電極１１２が形成された第一基板１１１の回折領域１１７上に液晶材料を提供するとともに、第一基板１１１の、回折領域１１７以外の部分に接着剤を提供する。液晶材料および接着剤が第一基板１１１上に配置される状態で、第二電極１１４が形成された第二基板１１５を、第一基板１１１上に配置する。最後に、接着剤を硬化させることによってレンズ１１０を製造できる。
【００４７】
（フロントについて）
図１に示されるように、フロント１３０は、一対のレンズ１１０を保持する。フロント１３０は、一対のレンズ１１０をそれぞれ支持する一対のリム１３１、および一対のリム１３１を互いに幅方向に接続するブリッジ１３２を有する。リム１３１の形状は、レンズ１１０の形状に対応する形状である。
【００４８】
ブリッジ１３２は、ユーザの鼻に接触しうる一対の鼻パッド１３３を有する。特に図示しないが、フロント１３０の内部には、レンズ１１０の第一電極１１２と後述の制御部１６０とを電気的に接続する配線、およびレンズ１１０の第二電極１１４と制御部１６０とを電気的に接続する配線が配置される。
【００４９】
フロント１３０の材料は、特に限定されない。フロント１３０の材料としては、メガネのフロントの材料として使用される公知の材料が使用されうる。フロント１３０の材料の例には、ポリアミド、アセテート、カーボン、セルロイド、ポリエーテルイミド、およびウレタンが含まれる。
【００５０】
（テンプルについて）
以下、図４〜図１６Ｂを参照して、テンプル１４０について説明する。なお、以下、テンプル１４０およびテンプル１４０を構成する各部材の説明において、電子メガネ１００の幅方向における外側面を、単に「外側面」という。一方、テンプル１４０およびテンプル１４０を構成する各部材の説明において、電子メガネ１００の幅方向における内側面を、単に「内側面」という。また、テンプル１４０における幅方向は、テンプル１４０における厚さ方向でもある。したがって、テンプル１４０の厚さ寸法は、テンプル１４０の幅方向における寸法でもある。また、テンプル１４０における上下方向は、テンプル１４０における高さ方向でもある。したがって、テンプル１４０の高さ寸法は、テンプル１４０の上下方向における寸法でもある。
【００５１】
以下、一対のテンプル１４０のうち、右側用の（装着状態においてユーザの右側に配置される）テンプル１４０について説明する。左側用の（装着状態においてユーザの左側に配置される）テンプル１４０の構成要素については、右側用のテンプル１４０と同様（つまり、左右対称）であってもよいし、異なっていてもよい。
【００５２】
左側用のテンプル１４０の構成要素において、左側用のテンプル１４０の構成要素と同様の構成については、同一の符号を付してその説明を省略する。以下で説明する右側用のテンプル１４０の構成は、左側用のテンプル１４０に適宜適用できる。
【００５３】
図１に示されるように、テンプル１４０は、前端部においてフロント１３０に接続される。たとえば、テンプル１４０は、所定方向（たとえば、上下方向）の軸を中心とした回転可能に、フロント１３０のリム１３１に係合される。
【００５４】
まず、本実施形態に係るテンプル１４０の概要について、図１０を参照して説明する。本実施形態に係るテンプル１４０（フレーム部品ともいう。）は、アイウェアのフレームを構成する。このようなテンプル１４０は、外側凹部１４１ｆ（第一凹部ともいう。）が形成された外側面（第一面ともいう。）、および外側凹部１４１ｆに開口する外側貫通孔１４１ｇ（第一孔ともいう。）を有する筐体１４１と、外側凹部１４１ｆに配置された被接触部１４２（第一デバイスともいう。）と、外側貫通孔１４１ｇに挿通され、被接触部１４２を筐体１４１に固定する接続部材１０１（締結部材ともいう。）と、を備える。
【００５５】
このようなテンプル１４０は、具体的には、図８〜図１１に示すように、筐体１４１、被接触部１４２、検出部１４５、光源１０２、導光部材１０３、側部カバー１０４、接着部材１０５、および前端部カバー１４６を有する。以下、テンプル１４０を構成する各部材について説明する。
【００５６】
（筐体について）
筐体１４１は、図４に示すように、テンプル１４０の外形を構成する。筐体１４１は、検出部１４５を収容する収容空間１４１ｅ（図１０参照）を有する。筐体１４１は、一方向（具体的には、前後方向）に沿って延在する。収容空間１４１ｅは、収容部の一例に該当する。
【００５７】
筐体１４１は、前端部に、第一開口部１４１３（図１１参照）を有する。一方、筐体１４１は、後端部に、第二開口部（不図示）を有する。当該第二開口部には、電源１７０が着脱可能に配置される（図１参照）。
【００５８】
以上のような筐体１４１は、幅方向における外側に設けられた外側壁部１４１ａ（図８参照）、および外側壁部１４１ａよりも幅方向における内側（図１０の下側）に設けられた内側壁部１４１ｂを有する。外側壁部１４１ａと内側壁部１４１ｂとは、幅方向に対向する。
【００５９】
本実施形態では、筐体１４１の外側壁部１４１ａの外側面には、筐体１４１の長手方向に沿って延在する第二凸条１４１１が形成される（図５Ａ参照）。また、外側壁部１４１ａの外側面の短手方向（上下方向ともいう。）における中央部は、第二凸条１４１１の稜線上に位置する。一方、内側壁部１４１ｂの内側面は、平坦面である。
【００６０】
外側壁部１４１ａの上端部と内側壁部１４１ｂの上端部とは、上側壁部１４１ｃ（図６Ａおよび図６Ｂ参照）により幅方向に連続される。一方、外側壁部１４１ａの下端部と内側壁部１４１ｂの下端部とは、下側壁部１４１ｄ（図６Ａおよび図６Ｂ参照）により幅方向に連続される。上側壁部１４１ｃと下側壁部１４１ｄとは、上下方向（厚さ方向）に対向する。外側壁部１４１ａ、内側壁部１４１ｂ、上側壁部１４１ｃ、および下側壁部１４１ｄにより囲まれる空間が、筐体１４１の収容空間１４１ｅである。
【００６１】
外側壁部１４１ａは、外側面（第一面ともいう。）に、外側凹部１４１ｆ（第一凹部ともいう。図８参照）を有する。外側凹部１４１ｆは、幅方向における外側から見た形状が略六角形である。外側凹部１４１ｆは、底部に、外側貫通孔１４１ｇ（第一孔ともいう。）を有する。外側貫通孔１４１ｇは、外側凹部１４１ｆの底部から外側壁部１４１ａの内側面へと貫通する。このような外側貫通孔１４１ｇには、後述する接続部材１０１の外側接続部材１０１Ａが挿通される。
【００６２】
内側壁部１４１ｂは、内側面（第二面ともいう。）に、内側凹部１４１ｈ（第二凹部ともいう。）を有する。内側凹部１４１ｈは、幅方向における内側から見た形状が、筐体１４１の長手方向（前後方向ともいう。）に長い長円形である。
【００６３】
このような内側凹部１４１ｈは、少なくとも一部において、外側壁部１４１ａの外側凹部１４１ｆと幅方向（厚さ方向）に重なる（対向する）。本実施形態の場合、内側凹部１４１ｈの前後方向における長さは、外側凹部１４１ｆの前後方向における長さよりも長い。
【００６４】
内側凹部１４１ｈは、底部に、第一内側貫通孔１４１ｉ（保持部ともいう。）を有する。第一内側貫通孔１４１ｉは、内側凹部１４１ｈの底部から内側壁部１４１ｂの外側面（図１０の上面）へと貫通する。このような第一内側貫通孔１４１ｉには、後述する導光部材１０３の導光本体部１０３ａの一部が挿入される。
【００６５】
内側凹部１４１ｈは、第一内側貫通孔１４１ｉから離れた位置に、第二内側貫通孔１４１ｊ（第二孔ともいう。）を有する。第二内側貫通孔１４１ｊは、内側凹部１４１ｈの底部から内側壁部１４１ｂの外側面（図１０の上面）へと貫通する。第二内側貫通孔１４１ｊは、少なくとも一部において、外側壁部１４１ａの外側貫通孔１４１ｇと幅方向に重なる。本実施形態では、第二内側貫通孔１４１ｊの中心軸は、外側貫通孔１４１ｇの中心軸と一致する。
【００６６】
第二内側貫通孔１４１ｊは、接続部材１０１の少なくとも一部（具体的には、内側接続部材１０１Ｂ）を筐体１４１の収容空間１４１ｅに配置するための孔である。また、第二内側貫通孔１４１ｊは、接続部材１０１の外側接続部材１０１Ａに対して内側接続部材１０１Ｂを係合する作業を行うための孔でもある。
【００６７】
具体的には、第二内側貫通孔１４１ｊは、後述する接続部材１０１の内側接続部材１０１Ｂが、幅方向内側から幅方向外側（図１０の下方から上方）へ通過可能な内径を有する。また、第二内側貫通孔１４１ｊは、接続部材１０１の外側接続部材１０１Ａに対して内側接続部材１０１Ｂを係合（本実施形態では螺合）させる工具１８０（図１２Ｂ参照）を挿通可能な内径を有する。このような第二内側貫通孔１４１ｊには、組付状態において、後述する導光部材１０３の位置決め凸部１０３ｆが、配置される。
【００６８】
筐体１４１は、内面に、第一ガイド溝１４１ｋおよび第二ガイド溝１４１ｍ（図６Ａ、図６Ｂ、および図１５Ａ参照）を有する。第一ガイド溝１４１ｋおよび第二ガイド溝１４１ｍは、後述する基板１５１を筐体１４１の収容空間１４１ｅに配置する際のガイドである。
【００６９】
具体的には、筐体１４１は、上側壁部１４１ｃの内面（下側面ともいう。）に第一ガイド溝１４１ｋを、下側壁部１４１ｄの内面（上側面ともいう。）に第二ガイド溝１４１ｍを、それぞれ有する。
【００７０】
第一ガイド溝１４１ｋおよび第二ガイド溝１４１ｍはそれぞれ、前後方向に延在し、前端が開口する。第一ガイド溝１４１ｋおよび第二ガイド溝１４１ｍの前後方向における長さは、後述する基板１５１の前後方向における長さよりも短い。
【００７１】
第一ガイド溝１４１ｋおよび第二ガイド溝１４１ｍの後端部の幅は、前端部の幅よりも狭い。具体的には、第一ガイド溝１４１ｋおよび第二ガイド溝１４１ｍは、前後方向において幅が変化しない平行溝部１４１ｎ（図１５Ａ参照）、および平行溝部１４１ｎよりも後方に設けられた傾斜溝部１４１ｐ（図１５Ａ参照）を有する。
【００７２】
傾斜溝部１４１ｐは、後方に向かうほど幅が狭くなる。このような第一ガイド溝１４１ｋおよび第二ガイド溝１４１ｍは、基板１５１の短手方向（上下方向ともいう。）端部と上下方向に係合することにより、基板１５１の長手方向（前後方向ともいう。）への変位をガイドする。
【００７３】
筐体１４１の材料は、特に限定されない。筐体１４１の材料としては、メガネのテンプルの材料として使用される公知の材料が使用されうる。筐体１４１の材料の例は、フロント１３０の材料の例と同じである。ただし、筐体１４１に金属材料を用いる場合、筐体１４１の一部分であって、後述の被接触部１４２の周囲に位置し、被接触部１４２と接する（あるいは、接し得る）部分は、樹脂などの非金属材料で構成される。
【００７４】
（被接触部について）
被接触部１４２（第一デバイスともいう。）は、たとえば、タッチセンサの一部を構成する部材であって、電子メガネ１００のユーザの指などの対象物が接触しうる部分である。このため、被接触部１４２の少なくとも一部は、筐体１４１の外部に露出するように配置される。
【００７５】
被接触部１４２の材料の例には、金、銀、銅、アルミニウム、鉄またはこれらの合金など導電性を有する金属材料が含まれる。導電体である対象物の被接触部１４２への接触は、後述する検出部１４５に電気的に伝達される。なお、当該接触が伝達される経路については、後述する。
【００７６】
本実施形態では、被接触部１４２は、外側凹部１４１ｆに配置される。この状態において、被接触部１４２の外側面が、ユーザの指が接触可能な状態で筐体１４１の外部に露出する。
【００７７】
具体的には、被接触部１４２は、幅方向における外側から見た形状が、同方向から見た場合の外側凹部１４１ｆの外縁形状よりもわずかに小さい略六角形である。被接触部１４２は、外側面における筐体１４１の短手方向の中央部に、筐体１４１の長手方向に延在する被接触部側凸条１４２ａ（図５Ａ参照）を有する。本実施形態において、被接触部側凸条１４２ａは、第二凸条１４１１の稜線の延長線上に配置される。
【００７８】
このような被接触部１４２の外側面は、筐体１４１の外側面において外側凹部１４１ｆの周囲に存在する部分と同一面上に存在する。ただし、被接触部１４２の外側面は、筐体１４１（具体的には、外側壁部１４１ａ）の外側面において外側凹部１４１ｆの周囲に存在する部分よりも幅方向における外側に突出していてもよい。被接触部１４２の内側面は、外側凹部１４１ｆの底部に当接する。
【００７９】
被接触部１４２の外側面は、被接触部側凸条１４２ａから筐体１４１の短手方向両側（図５Ａの上下方向）に向かうほど幅方向における内側（図５Ａの裏方向）に向かうように傾斜する。被接触部１４２の内側面には、後述する接続部材１０１の外側接続部材１０１Ａが被接触部１４２と一体に設けられる。
【００８０】
被接触部１４２の位置は、電子メガネ１００のユーザが被接触部１４２を触りやすい位置であることが好ましい。このような観点から、被接触部１４２は、筐体１４１の長手方向における中点より前方側に配置されることが好ましく、筐体１４１を長手方向において三等分したときの、最も前方側の部分に配置されることがより好ましい。
【００８１】
（検出部について）
図１４は、検出部１４５の構成について説明するための模式図である。検出部１４５は、筐体１４１の収容空間１４１ｅに配置され、被接触部１４２と電気的に接続される。検出部１４５では、対象物と被接触部１４２との接触に起因する静電容量の変化が生じる。
【００８２】
検出部１４５は、外側面から内側面へと貫通する貫通孔１５７Ａ（図１０参照）を有する。本実施形態では、貫通孔１５７Ａの中心軸は、第二内側貫通孔１４１ｊおよび外側貫通孔１４１ｇの中心軸と一致する。また、検出部１４５は、貫通孔１５７Ａの内周面に、外側面から内側面にかけて電気的に導通する導通部１５８Ａ（図１０参照）を有する。
【００８３】
具体的には、検出部１４５は、図１４に示されるように、複数の層が重なる積層構造を有する。具体的には、検出部１４５は、幅方向における外側（図１４の上側）から順に、外側板状部材１５５、絶縁層１５６ａ、基板１５１（外側基板１５１ａ、絶縁層１５６ｂ、内側基板１５１ｂ）、絶縁層１５６ｃ、第二接地部１５２、絶縁層１５６ｄ、検出パッド１５３、絶縁層１５６ｅ、および導電板１４８を有する。
【００８４】
なお、本実施形態では、外側板状部材１５５、絶縁層１５６ａ、外側基板１５１ａ、絶縁層１５６ｂ、内側基板１５１ｂ、絶縁層１５６ｃ、第二接地部１５２、絶縁層１５６ｄ、および検出パッド１５３が、検出用積層体１５０を構成する。検出用積層体１５０は、対象物と被接触部１４２との接触によって生じる静電容量の変化を検出する。
【００８５】
外側板状部材１５５は、たとえば、金属、セラミックス、合成樹脂などからなる板状部材である。外側板状部材１５５は、外側面から内側面へと貫通する貫通孔要素１５７ａを有する。外側板状部材１５５は、貫通孔要素１５７ａの周縁に、当該周縁に沿う円環状の導通部１５８ａを有する。導通部１５８ａは、たとえば、金、銀、銅などの導電性を有する金属により構成される。
【００８６】
導通部１５８ａは、外側板状部材１５５の外側面に配置される外側導通部１５５ａ（図１４参照）を有する。外側導通部１５５ａは、後述する外側接続部材１０１Ａの先端面（幅方向における内端面）と当接する。本実施形態では、外側導通部１５５ａの外径は、外側接続部材１０１Ａの先端面の外径よりも大きい。
【００８７】
このような構成により、外側接続部材１０１Ａの先端面は、外側導通部１５５ａに確実に当接する。この結果、外側接続部材１０１Ａと導通部１５８ａとが、電気的に確実に接続される。一方、導通部１５８ａにおいて、外側板状部材１５５の内側面に配置される部分は、絶縁層１５６ａの導通部１５８ｂに連続する。
【００８８】
絶縁層１５６ａ〜１５６ｅはそれぞれ、絶縁体により構成される。絶縁層１５６ａ〜１５６ｅは、単層構造であってもよいし、積層構造であってもよい。絶縁層１５６ａ〜１５６ｅの材料として、たとえば、二酸化ケイ素、窒化シリコンが挙げられる。絶縁層１５６ａ〜１５６ｅはそれぞれ、幅方向に貫通する貫通孔要素１５７ｂ〜１５７ｆを有する。
【００８９】
絶縁層１５６ａ〜１５６ｅは、貫通孔要素１５７ｂ〜１５７ｆの周縁に、当該周縁に沿う円環状の導通部１５８ｂ〜１５８ｆを有する。導通部１５８ｂ〜１５８ｆは、たとえば、金、銀、銅などの導電性を有する金属により構成される。
【００９０】
基板１５１は、幅方向における外側から順に、外側基板１５１ａ、絶縁層１５６ｂ、および内側基板１５１ｂを有する。このような基板１５１は、検出部１４５を構成する各要素を支持する。基板１５１は、たとえば、制御部１６０（図２参照）が実装されたプリント基板である。なお、本実施形態の場合も、制御部１６０は、検出パッド１５３における静電容量の変化についての検出結果を受信しうるように、検出パッド１５３に接続される。
【００９１】
本実施形態では、基板１５１は、検出部１４５において、導電板１４８、絶縁層１５６ｅ、および検出パッド１５３よりも幅方向における外側（図１４の上側）に配置される。
【００９２】
外側基板１５１ａおよび内側基板１５１ｂはそれぞれ、幅方向に貫通する貫通孔要素１５７ｇ、１５７ｈを有する。外側基板１５１ａの貫通孔要素１５７ｇ、内側基板１５１ｂの貫通孔要素１５７ｈ、および絶縁層１５６ｂの貫通孔要素１５７ｃの組み合わせが、基板側貫通孔である。
【００９３】
外側基板１５１ａおよび内側基板１５１ｂはそれぞれ、貫通孔要素１５７ｇ、１５７ｈの周縁に、当該周縁に沿う円環状の導通部１５８ｇ、１５８ｈを有する。導通部１５８ｇ、１５８ｈはそれぞれ、たとえば、金、銀、銅などの導電性を有する金属により構成される。
【００９４】
第二接地部１５２は、基板１５１と検出パッド１５３との間に、絶縁層１５６ｃ、１５６ｄを介して配置される。第二接地部１５２は、ノイズから検出パッド１５３をガードする。これにより、意図しない静電容量の変化が、抑制されうる。本実施形態の場合も、検出パッド１５３と第二接地部１５２との間の寄生容量を低減する観点から、第二接地部１５２の形状は、メッシュ形状であることが好ましい。
【００９５】
第二接地部１５２は、幅方向に貫通する貫通孔要素１５７ｉを有する。第二接地部１５２は、貫通孔要素１５７ｉの周縁に、当該周縁に沿う円環状の導通部１５８ｉを有する。導通部１５８ｉは、たとえば、金、銀、銅などの導電性を有する金属により構成される。
【００９６】
検出パッド１５３は、対象物と被接触部１４２との接触に起因する静電容量の変化を検出する静電容量方式の検出パッドである。検出パッド１５３としては、タッチセンサとして使用されうる公知の検出パッドが使用されうる。
【００９７】
検出パッド１５３は、幅方向に貫通する貫通孔要素１５７ｊを有する。検出パッド１５３は、貫通孔要素１５７ｊの周縁に、当該周縁に沿う円環状の導通部１５８ｊを有する。導通部１５８ｊは、たとえば、金、銀、銅などの導電性を有する金属により構成される。導通部１５８ｊは、検出パッド１５３において導通部１５８ｊの周囲に存在する検出領域１５３ａ（図１４参照）と接続されていない。
【００９８】
導電板１４８は、絶縁層１５６ｅの幅方向における内側面に配置される。具体的には、導電板１４８は、絶縁層１５６ｅを挟んで、検出パッド１５３の検出領域１５３ａに対向するように配置される。本実施形態では、導電板１４８は、検出用積層体１５０（具体的には、検出パッド１５３）よりも被接触部１４２から遠い位置に配置される。
【００９９】
導電板１４８は、幅方向に貫通する貫通孔要素１５７ｋを有する。導電板１４８は、貫通孔要素１５７ｋの周縁に、当該周縁に沿う円環状の導通部１５８ｋを有する。導通部１５８ｋは、たとえば、金、銀、銅などの導電性を有する金属により構成される。
【０１００】
導通部１５８ｋは、導電板１４８の幅方向における内側面に配置される内側導通部１４８ａ（図１４参照）を有する。内側導通部１４８ａは、内側接続部材１０１Ｂの頭部１０１ｂと当接する。
【０１０１】
本実施形態では、内側導通部１４８ａの外径は、内側接続部材１０１Ｂの頭部１０１ｂの外径よりも大きい。この構成により、内側接続部材１０１Ｂの頭部１０１ｂが、内側導通部１４８ａに確実に当接する。この結果、内側接続部材１０１Ｂと導通部１５８ｋとが、電気的に確実に接続される。
【０１０２】
以上のような検出部１４５を構成する各部材が、幅方向に積層された状態において、貫通孔要素１５７ａ〜１５７ｋの中心軸はそれぞれ、同軸上に位置する。貫通孔要素１５７ａ〜１５７ｋは、検出部１４５の貫通孔１５７Ａを構成する。
【０１０３】
このような貫通孔１５７Ａは、検出部１４５の外側面から、検出部１４５の内側面へと貫通する。なお、本実施形態において、検出部１４５の外側面は、外側板状部材１５５の外側面である。一方、検出部１４５の内側面は、導電板１４８の内側面である。
【０１０４】
また、導通部１５８ａ〜１５８ｋのうち幅方向に隣り合う導通部同士は、電気的に接続される。このようにして、幅方向において最も外側に配置される導通部１５８ａと、幅方向において最も内側に配置される導通部１５８ｋとが、電気的に接続される。導通部１５８ａ〜１５８ｋは、検出部１４５の導通部１５８Ａを構成する。
【０１０５】
（接続部材について）
接続部材１０１（締結部材ともいう。）は、導電性を有し、被接触部１４２と検出部１４５とを電気的に接続する。また、接続部材１０１は、被接触部１４２と検出部１４５の基板１５１とを固定する。このようにして接続部材１０１は、被接触部１４２を、筐体１４１に対して固定する。本実施形態では、被接触部１４２と検出部１４５とは、後述する第一導通路および第二導通路を介して電気的に接続される。
【０１０６】
具体的には、接続部材１０１は、外側接続部材１０１Ａおよび内側接続部材１０１Ｂを有する。外側接続部材１０１Ａは、ナットなどの締結部材であって、被接触部１４２の内側面に設けられる。外側接続部材１０１Ａは、先端側（図１０の下端側）が開口する筒状部材であって、内周面の少なくとも一部に、外側係合部１０１ａ（図１０参照）を有する。
【０１０７】
外側接続部材１０１Ａの基端（図１０の上端）は、被接触部１４２の内側面に一体に固定される。このような外側接続部材１０１Ａは、幅方向における外側から筐体１４１の外側貫通孔１４１ｇに挿通される。
【０１０８】
この状態において、外側接続部材１０１Ａの先端面は、検出部１４５の導通部１５８Ａの第一端部（幅方向における外端部であって、図１０の上端部）に当接する。具体的には、外側接続部材１０１Ａの先端面は、検出部１４５における外側板状部材１５５の外側導通部１５５ａに当接する。
【０１０９】
内側接続部材１０１Ｂは、ビスやボルトなどの締結部材である。内側接続部材１０１Ｂは、少なくとも一部に（本実施形態の場合、全長にわたり）第二内側貫通孔１４１ｊに挿通可能な外径を有する。このような内側接続部材１０１Ｂは、幅方向内側から幅方向外側（図１０の下方から上方）に第二内側貫通孔１４１ｊを通過することにより、筐体１４１の収容空間１４１ｅに配置される。
【０１１０】
内側接続部材１０１Ｂは、頭部１０１ｂおよび軸部１０１ｃを有する。頭部１０１ｂは、軸方向における一端面（図１０の下端面）に、ドライバや六角レンチなどの工具１８０（図１２Ｂ参照）が係合可能な係合部１０１ｄを有する。
【０１１１】
頭部１０１ｂの外形は、たとえば、円形である。なお、頭部１０１ｂの外形は、たとえば六角形などの多角形であってもよい。この場合には、頭部１０１ｂの係合部１０１ｄは、省略されてもよい。
【０１１２】
軸部１０１ｃは、中実の軸部材であって、外周面に内側係合部１０１ｅ（図１０参照）を有する。軸部１０１ｃは、検出部１４５の貫通孔１５７Ａ（基板１５１の）に挿通可能な外径を有する。このような軸部１０１ｃは、幅方向における内側から検出部１４５の貫通孔１５７Ａに挿通される。
【０１１３】
この状態において、軸部１０１ｃの内側係合部１０１ｅは、外側接続部材１０１Ａの外側係合部１０１ａに係合する。これにより外側接続部材１０１Ａと内側接続部材１０１Ｂとが締結し、電気的に接続される。
【０１１４】
外側接続部材１０１Ａと内側接続部材１０１Ｂとが締結した状態において、内側接続部材１０１Ｂの頭部１０１ｂは、検出部１４５の導通部１５８Ａの第二端部（幅方向における内端部であって、図１０の下端部）に当接する。具体的には、内側接続部材１０１Ｂの頭部１０１ｂは、検出部１４５における導電板１４８の内側導通部１４８ａ（図１４参照）に、幅方向における内側から当接する。
【０１１５】
以上のように、外側接続部材１０１Ａが、検出部１４５における導通部１５８Ａの第一端部に、内側接続部材１０１Ｂが検出部１４５における導通部１５８Ａの第二端部に、それぞれ当接することにより、被接触部１４２と検出部１４５の導電板１４８とが、以下の第一導通路および第二導通路により導通される。
【０１１６】
本実施形態では、導電板１４８は、外側面側において、第一導通路を介して被接触部１４２と電気的に接続する。一方、導電板１４８は、内側面側において、第二導通路を介して被接触部１４２と電気的に接続する。
【０１１７】
第一導通路は、被接触部１４２と検出部１４５の導電板１４８とを、貫通孔１５７Ａを介して接続する経路である。具体的には、第一導通路は、被接触部１４２  →  外側接続部材１０１Ａ  →  検出部１４５の導通部１５８Ａ  →  導電板１４８の順に構成される。
【０１１８】
一方、第二導通路は、被接触部１４２と検出部１４５の導電板１４８とを、接続部材１０１（具体的には、外側接続部材１０１Ａと内側接続部材１０１Ｂとの係合部）を介して接続する経路である。具体的には、第二導通路は、被接触部１４２  →  外側接続部材１０１Ａ  →  内側接続部材１０１Ｂ  →  導電板１４８の順に構成される。
【０１１９】
（光源について）
光源１０２（図１０参照）は、電子メガネ１００の状態に応じた発光パターンで発光する。光源１０２は、たとえば、電子メガネ１００が動作している状態（オン状態）で発光（点灯）し、動作していない状態（オフ状態）で消灯する。光源１０２は、第一光源と称されてよい。
【０１２０】
光源１０２は、たとえば、ＬＥＤ（Light Emitting Diode）である。このような光源１０２は、基板１５１に支持される。具体的には、本実施形態では、光源１０２は、基板１５１の内側面（図１０の下面）において、筐体１４１の第一内側貫通孔１４１ｉと幅方向に重なる位置に設けられる。光源１０２が射出した光は、後述する導光部材１０３の導光本体部１０３ａを介して筐体１４１の外部に導光される。
【０１２１】
なお、光源１０２とは別の光源１０２ａ（図１２Ａ参照）が、基板１５１に設けられてもよい。このような光源１０２ａは、射出する光が後述する導光部材１０３の支持部１０３ｂを介して、筐体１４１の外部に導光される位置に設けられる。光源１０２ａは、第二光源と称されてよい。
【０１２２】
具体的には、光源１０２ａが射出した光は、後述する導光部材１０３の位置決め凸部１０３ｆの先端面から入り、支持部１０３ｂを通って導光本体部１０３ａの第一端面（図１２Ａの下端面）から筐体１４１の外部に出る。光源１０２が射出する光の色と、光源１０２ａが射出する光の色は同じであってもよいし、異なってもよい。
【０１２３】
本実施形態において、光源１０２および光源１０２ａは、筐体１４１の収容空間１４１ｅに配置される。ただし、光源１０２や光源１０２ａを収容する収容部は、収容空間１４１ｅとは別の空間であってもよい。光源１０２と光源１０２ａとは、互いに仕切られた収容部に配置されてもよい。
【０１２４】
（導光部材について）
導光部材１０３（第二デバイスともいう。）は、光透過性を有し、光源１０２からの光を筐体１４１の外部に導光する。ユーザなどは、光源１０２からの光を、導光部材１０３を介して外部から視認できる。このような導光部材１０３は、光源１０２からの光を導光可能な導光体からなる。導光体として、たとえば、アクリル、ポリカーボネート、ポリスチレン、またはこれらの複合材などの樹脂が挙げられる。導光部材１０３は、導光部の一例に該当する。
【０１２５】
具体的には、導光部材１０３は、図１０、図１３Ａ、および図１３Ｂに示すように、導光本体部１０３ａ、支持部１０３ｂ、および位置決め凸部１０３ｆを有する。導光本体部１０３ａは、中実の円柱状であって、光源１０２からの光を筐体１４１の外部に導光する。導光本体部１０３ａは、自身の軸方向が、展開状態（図１に示す状態）における電子メガネ１００の幅方向に一致する。
【０１２６】
導光本体部１０３ａの第一端部（図１０の下端部であって、軸方向における一端部ともいう。）は、側部カバー１０４の露出用貫通孔１０４ａに配置される。本実施形態において、導光本体部１０３ａの第一端部は、導光部材１０３の第一凸部に相当する。導光本体部１０３ａの第一端面（図１０の下端面）は、後述する側部カバー１０４の露出用貫通孔１０４ａから外部に露出する。
【０１２７】
一方、導光本体部１０３ａの第二端部（図１０の上端部であって、軸方向における他端部ともいう。）は、筐体１４１における内側凹部１４１ｈの第一内側貫通孔１４１ｉに挿通される（換言すれば、保持される）。本実施形態において、導光本体部１０３ａの第二端部は、導光部材１０３の第二凸部に相当する。
【０１２８】
この状態で、導光本体部１０３ａの第二端面（図１０の上端面）は、光源１０２と対向する。光源１０２からの光は、導光本体部１０３ａの第二端面から導光本体部１０３ａに入り、導光本体部１０３ａの第一端面から外部に出る。
【０１２９】
支持部１０３ｂは、導光本体部１０３ａを筐体１４１に対して支持する。支持部１０３ｂは、板状部材であって、導光本体部１０３ａの外周面に設けられる。このような支持部１０３ｂは、筐体１４１の内側凹部１４１ｈの底部と後述する側部カバー１０４との間に配置される。具体的には、支持部１０３ｂは、第一覆い部１０３ｃ、第二覆い部１０３ｄ、および連続部１０３ｅを有する。
【０１３０】
第一覆い部１０３ｃは、導光本体部１０３ａの外周面から、導光本体部１０３ａの径方向における外側に延在する。具体的には、第一覆い部１０３ｃは、円輪状の板部材であって、第一内側貫通孔１４１ｉの外径よりも大きい外径を有する。第一覆い部１０３ｃの内周縁は、導光本体部１０３ａの外周面に一体に固定される。
【０１３１】
このような第一覆い部１０３ｃは、内側凹部１４１ｈの底部における第一内側貫通孔１４１ｉの周囲に当接する。この状態で、第一覆い部１０３ｃは、第一内側貫通孔１４１ｉの内周面と導光本体部１０３ａの外周面との間の隙間（具体的には、円筒状の隙間）の第一開口部（図１０の下側の開口部）の全体を塞ぐ。これにより水など液体が、第一内側貫通孔１４１ｉに浸入しにくくなる。
【０１３２】
第二覆い部１０３ｄは、連続部１０３ｅを介して第一覆い部１０３ｃに連続する。第二覆い部１０３ｄは、円板状の板部材であって、第二内側貫通孔１４１ｊの外径よりも大きい外径を有する。
【０１３３】
このような第二覆い部１０３ｄは、内側凹部１４１ｈの底部における第二内側貫通孔１４１ｊの周囲に当接する。この状態で、第二内側貫通孔１４１ｊの第一開口部（図１０の下側の開口部）の全体を塞ぐ。これにより水などの液体が、第二内側貫通孔１４１ｊに浸入しにくくなる。
【０１３４】
位置決め凸部１０３ｆは、第二覆い部１０３ｄの外側面（図１０の上面）に一体に設けられる。位置決め凸部１０３ｆは、中実の円柱状部材であって、第二覆い部１０３ｄの外側面から突出する。
【０１３５】
位置決め凸部１０３ｆは、第二内側貫通孔１４１ｊの内径よりもわずかに小さい内径を有する。このような位置決め凸部１０３ｆは、第二内側貫通孔１４１ｊに挿入される。位置決め凸部１０３ｆと第二内側貫通孔１４１ｊとの係合により、導光部材１０３の回り止めが図られる。
【０１３６】
（側部カバーについて）
側部カバー１０４（第三デバイスともいう。）は、遮光性を有する板状部材である。側部カバー１０４は、導光本体部１０３ａの第一端面（図１０の下端面）を外部に露出させる露出用貫通孔１０４ａ（透光部ともいう。）を有する。
【０１３７】
露出用貫通孔１０４ａは、筐体１４１において第一内側貫通孔１４１ｉと幅方向に重なる位置に設けられる。なお、透光部は、導光部材１０３により導光された光が通過可能であれば、本実施形態の貫通孔に限定されない。たとえば、透光部は、側部カバー１０４の一部に設けた透光性を有する部材（たとえば、透光性を有する樹脂部材）であってもよい。
【０１３８】
このような側部カバー１０４は、筐体１４１の内側凹部１４１ｈにおいて導光部材１０３の支持部１０３ｂよりも幅方向における内側（図１０の下側）に配置される。側部カバー１０４は、後述する接着部材１０５により筐体１４１の内側凹部１４１ｈに固定される。
【０１３９】
この状態で、露出用貫通孔１０４ａに、導光本体部１０３ａの第一端部（図１０の下端部）が挿入される。このようにして導光本体部１０３ａの第一端面が、露出用貫通孔１０４ａを介して外部に露出する。
【０１４０】
側部カバー１０４は、内側面に、たとえば、ロゴマークなどの識別情報１０４ｂ（図４、図５Ｂ参照）が付される。識別情報１０４ｂは、たとえば、レーザ加工、刻印、印刷などにより側部カバー１０４の内側面に形成される。側部カバー１０４の内側面は、筐体１４１（具体的には、内側壁部１４１ｂ）の内側面と、同一面上にある。
【０１４１】
（接着部材について）
接着部材１０５は、筐体１４１の内側凹部１４１ｈの底部と側部カバー１０４との間に配置されて、側部カバー１０４を内側凹部１４１ｈの底部に固定する。接着部材１０５は、たとえば、両面テープであって、導光部材１０３の支持部１０３ｂを配置可能な収容孔１０５ａ（図４、図１０参照）を有する。このような接着部材１０５の外側面は、内側凹部１４１ｈの底部に接着される。一方、接着部材１０５の内側面は、側部カバー１０４の外側面に接着される。
【０１４２】
具体的には、接着部材１０５は、外側面（第一面ともいう。）、および内側面（第二面ともいう。）を有する。接着部材１０５の外側面は、内側凹部１４１ｈの底部に接着される。一方、接着部材１０５の内側面は、側部カバー１０４の外側面に接着される。この状態において、接着部材１０５は、第一内側貫通孔１４１ｉの周囲を全周にわたり囲んでいる。
【０１４３】
本実施形態では、収容孔１０５ａは、貫通孔である。収容孔１０５ａは、幅方向から見た場合に、収容孔１０５ａの外周縁の内側に、筐体１４１の第一内側貫通孔１４１ｉ、筐体１４１の第二内側貫通孔１４１ｊ、および側部カバー１０４の露出用貫通孔１０４ａが入る大きさを有する。
【０１４４】
換言すれば、収容孔１０５ａは、幅方向において、第二内側貫通孔１４１ｊ、第一内側貫通孔１４１ｉ、および露出用貫通孔１０４ａのそれぞれと重なる。また、第一内側貫通孔１４１ｉ、露出用貫通孔１０４ａ、および収容孔１０５ａは、幅方向において互いに重なる。
【０１４５】
収容孔１０５ａの形状は、導光部材１０３の支持部１０３ｂを配置可能な形状であれば特に限定されない。このような収容孔１０５ａには、導光部材１０３の支持部１０３ｂが配置される。
【０１４６】
なお、接着部材１０５は、側部カバー１０４を内側凹部１４１ｈの底部に固定できれば、本実施形態の場合に限定されない。たとえば、接着部材１０５は、接着剤であってもよい。
【０１４７】
また、接着部材１０５は省略されてもよい。接着部材１０５を省略した場合には、側部カバー１０４は、圧入などにより内側凹部１４１ｈに固定される。
【０１４８】
（前端部カバーについて）
前端部カバー１４６（図４、図７参照）は、テンプル１４０の前端部において、テンプル１４０の第一開口部１４１３を覆うように配置される。このような前端部カバー１４６は、後端側が開口した箱状部材である。
【０１４９】
具体的には、前端部カバー１４６は、断面矩形の筒状部１４６Ａ、および筒状部１４６Ａの前側開口部を塞ぐ前壁部１４６ｅを有する。筒状部１４６Ａは、幅方向に対向する第１壁部１４６ａ、第２壁部１４６ｂ、および上下方向に対向する第３壁部１４６ｃ、第４壁部１４６ｄからなる。
【０１５０】
第３壁部１４６ｃおよび第４壁部１４６ｄはそれぞれ、後端面に、幅方向における内側（図７、図９の下側）から順に、位置決め凹部１４６ｆ、位置決め段部１４６ｇ、および位置決め凸部１４６ｈを有する。
【０１５１】
筒状部１４６Ａは、組付状態（図９、図１０に示す状態）において、テンプル１４０の第一開口部１４１３に挿入される。この状態において、位置決め凹部１４６ｆおよび位置決め段部１４６ｇには、基板１５１の前端部が当接する。
【０１５２】
このようにして基板１５１の前方（図９の左側）および幅方向における外方（図９の上側）への位置決めが図られる。なお、基板１５１の後方（図９の右側）への位置決めは、基板１５１の後端部と筐体１４１の内面との係合により図られる。また、基板１５１の幅方向における内方（図９の下側）への位置決めは、基板１５１に接続部材１０１を介して固定された被接触部１４２と、筐体１４１の外側凹部１４１ｆとの係合により図られる。
【０１５３】
前壁部１４６ｅは、筒状部１４６Ａ（具体的には、第２壁部１４６ｂ）よりも幅方向における内側に延在した位置決め鍔部１４６ｉを有する。このような位置決め鍔部１４６ｉは、筐体１４１の内側壁部１４１ｂにおける前端部に当接する。
【０１５４】
これにより前端部カバー１４６の、筐体１４１に対する後方への位置決めが図られる。なお、前端部カバー１４６の、幅方向および上下方向に関する位置決めは、筒状部１４６Ａと筐体１４１の内面との係合により図られる。
【０１５５】
前壁部１４６ｅは、基板１５１に接続されるＦＰＣ１０７（図４、図７参照）を挿通可能なＦＰＣ用貫通孔１４６ｊを有する。また、前壁部１４６ｅは、前側面に、幅方向における外側から内側に向かうほど後方に向かう方向に滑らかに傾斜したガイド面１４６ｋを有する。
【０１５６】
ガイド面１４６ｋは、テンプル１４０がフロント１３０の幅方向両端部に対して滑らかに回動するようにガイドする。ガイド面１４６ｋは、曲線や直線の組み合わせにより構成される。このようなガイド面１４６ｋの形状は、フロント１３０の幅方向両端部の形状に合わせて適宜決定される。
【０１５７】
（制御部について）
制御部１６０は、検出部１４５の検出パッド１５３、レンズ１１０の電極（第一電極１１２および第二電極１１４）に電気的に接続される。制御部１６０は、入力された操作信号に応じて、一対のレンズ１１０に電圧を印加するか、または一対のレンズ１１０への電圧の印加を停止して、一対のレンズ１１０の第一領域１１０１（電気活性領域）の光学特性を切替える。
【０１５８】
具体的には、制御部１６０は、検出部１４５が対象物および被接触部１４２の接触を検出したときに、一対のレンズ１１０に電圧を印加するか、または一対のレンズ１１０に対する電圧の印加を停止して、第一領域１１０１の焦点距離（度数）を切替える（図２参照）。
【０１５９】
制御部１６０は、例えば、検出パッド１５３の駆動と、検出パッド１５３における静電容量の変化の検出と、レンズ１１０の第一領域１１０１への電圧の印加とを制御するための制御回路を有する。制御部１６０は、たとえば、検出部１４５の基板１５１上に実装される。
【０１６０】
（電源について）
電源１７０は、検出部１４５および制御部１６０に電力を供給する（図２参照）。本実施形態では、電源１７０は、テンプル１４０の他端部（後端部に設けられた第２開口部）に着脱可能に保持される充電式のバッテリーパックである。電源１７０の例には、ニッケル水素充電池が含まれる。
【０１６１】
（テンプルの組み立て方法について）
以下、テンプル１４０の組み立て手順について説明する。まず、図１５Ａに示すように、基板１５１を、筐体１４１の第一開口部１４１３から収容空間１４１ｅに挿入する。この際、基板１５１の短手方向端部（具体的には、上下方向端部）を、筐体１４１の第一ガイド溝１４１ｋおよび第二ガイド溝１４１ｍに係合することにより、基板１５１の挿入をガイドする。
【０１６２】
つぎに、被接触部１４２を、筐体１４１の外側凹部１４１ｆに配置する。この際、被接触部１４２に一体に設けられた外側接続部材１０１Ａを、筐体１４１の外側貫通孔１４１ｇに挿通する。つぎに、内側接続部材１０１Ｂを、筐体１４１の第二内側貫通孔１４１ｊから収容空間１４１ｅに進入させる。
【０１６３】
つぎに、内側接続部材１０１Ｂの軸部１０１ｃを、検出部１４５の貫通孔１５７Ａに挿通する。そして、内側接続部材１０１Ｂの内側係合部１０１ｅを、外側接続部材１０１Ａの外側係合部１０１ａに係合（螺合）する。この際、筐体１４１の第二内側貫通孔１４１ｊから収容空間１４１ｅに進入させたドライバなどの工具１８０（図１２Ｂ参照）により、内側接続部材１０１Ｂを回転させる。
【０１６４】
つぎに、導光部材１０３の導光本体部１０３ａを、筐体１４１の第一内側貫通孔１４１ｉに挿入するとともに、導光部材１０３の位置決め凸部１０３ｆを筐体１４１の第二内側貫通孔１４１ｊに挿入する。この状態において、導光部材１０３の第一覆い部１０３ｃが、筐体１４１の第一内側貫通孔１４１ｉの内周面と導光本体部１０３ａの外周面との間の隙間の第一開口部（図１０の下方の開口部）の全体を塞ぐ。
【０１６５】
一方、上述の状態において、導光部材１０３の第二覆い部１０３ｄが、第二内側貫通孔１４１ｊの第一開口部（図１０の下方の開口部）の全体を塞ぐ。つぎに、接着部材１０５を、筐体１４１の内側凹部１４１ｈの底部に接着する。この状態（図１６Ａに示す状態）において、導光部材１０３の支持部１０３ｂが、接着部材１０５の収容孔１０５ａに挿入される。
【０１６６】
そして、側部カバー１０４を、筐体１４１の内側凹部１４１ｈに配置されるように、接着部材１０５に接着する。この状態（図１６Ｂに示す状態）において、側部カバー１０４の露出用貫通孔１０４ａに、導光本体部１０３ａの軸方向における第一端面（図１０の下端面）が配置される。
【０１６７】
（電子メガネの動作について）
つぎに、電子メガネ１００の動作の一例について説明する。まず、電子メガネ１００の液晶層１１３に電圧が印加されていない状態（オフ状態）について説明する。オフ状態では、レンズ１１０の第一領域１１０１において、液晶層１１３の屈折率と、第一基板１１１および第二基板１１５の屈折率とが、ほぼ同じとなる。
【０１６８】
このため、液晶層１１３に起因するレンズ効果は生じない。したがって、レンズ１１０において、第一領域１１０１の焦点距離（度数）と、第二領域１１０２の焦点距離（度数）とは、互いにほぼ同じとなる。
【０１６９】
被接触部１４２が、導電体である対象物（たとえばユーザの指）により接触されると、当該接触に基づく静電容量の変化が、検出部１４５の検出パッド１５３によって検出される。この接触の検出結果は、制御部１６０に送信される。制御部１６０は、オフ状態において被接触部１４２が接触されたことを検知すると、レンズ１１０の第一領域１１０１に電圧を印加する。
【０１７０】
これにより、液晶層１１３における液晶材料の配向が変化して、液晶層１１３の屈折率が変化する（オン状態）。これにより、オン状態では、液晶層１１３の屈折率と、第一基板１１１および第二基板１１５の屈折率とが、互いに異なる。このため、第一領域１１０１において液晶層１１３に起因するレンズ効果が生じる。したがって、第一領域１１０１の焦点距離（度数）を変えることができる。
【０１７１】
オン状態において、被接触部１４２が対象物により接触されると、上記と同様に、接触の検出結果が制御部１６０に送信される。制御部１６０は、オン状態において被接触部１４２が接触されたことを検知すると、レンズ１１０の第一領域１１０１に対する電圧の印加を停止する。これにより、液晶層１１３における液晶材料の配向が、電圧印可前の状態に戻って、液晶層１１３の屈折率も電圧印可前の状態に戻る（オフ状態）。
【０１７２】
以上のように、本実施形態に係る電子メガネ１００では、被接触部１４２が対象物により接触されることにより、レンズ１１０の第一領域１１０１の焦点距離を切替えることができる。
【０１７３】
（作用・効果）
以上のような構成を有する本実施形態によれば、電子メガネ１００のテンプル１４０において第一デバイスである被接触部１４２および第二デバイスである導光部材１０３が設けられた部分の寸法（本実施形態の場合には、厚さ寸法）を小さくできる。すなわち、本実施形態の場合、テンプル１４０の内側凹部１４１ｈに導光部材１０３が配置されるとともに、外側凹部１４１ｆに被接触部１４２が配置される。このため、内側凹部１４１ｈおよび外側凹部１４１ｆを設けていない構造と比べて、テンプル１４０の幅方向における寸法（厚さ寸法）を小さくして、テンプル１４０の薄型化を図れる。この結果、ユーザの頭部や耳への負担軽減、ユーザの装着感の向上を図れる。
【０１７４】
また、本実施形態の場合、内側凹部１４１ｈに設けた第二内側貫通孔１４１ｊを介して、工具１８０（図１２Ｂ参照）を収容空間１４１ｅに進入させて、内側接続部材１０１Ｂを外側接続部材１０１Ａに係合させることができる。
【０１７５】
また、本実施形態の場合、第二内側貫通孔１４１ｊが設けられた内側凹部１４１ｈは、側部カバー１０４により覆われる。このため、第二内側貫通孔１４１ｊは、外部に露出しない（つまり、外部から視認できない）。この結果、テンプル１４０の意匠性の向上を図れる。また、第二内側貫通孔１４１ｊを塞ぐための他の部材を設ける必要がないため、部品点数が削減される。
【０１７６】
さらに、以上のような構成を有する本実施形態によれば、光源１０２が配置された筐体１４１の収容空間１４１ｅへの水などの液体の浸入を低減しうる。すなわち、本実施形態の場合、テンプル１４０の内側凹部１４１ｈに配置された導光部材１０３が、幅方向における外側から側部カバー１０４により覆われている。このような側部カバー１０４は、水などの液体が内側凹部１４１ｈに浸入することを防ぐのに効果的である。この結果、液体が、導光部材１０３の導光本体部１０３ａの外周面と、筐体１４１の第一内側貫通孔１４１ｉの内周面との間の隙間を通って、収容空間１４１ｅに浸入することを防止できる。
【０１７７】
特に、本実施形態の場合、導光部材１０３の第一覆い部１０３ｃが、第一内側貫通孔１４１ｉの内周面と導光本体部１０３ａの外周面との間の隙間の第一開口部（図１０の下側の開口部）の全体を塞いでいる。このような構成も、液体が収容空間１４１ｅに浸入することを防ぐのに効果的である。
【０１７８】
また、第一覆い部１０３ｃは、側部カバー１０４の露出用貫通孔１０４ａから第一内側貫通孔１４１ｉまでの水の浸入経路を長くするとともに、屈折させることができる。このような構成も、液体が収容空間１４１ｅに浸入することを防ぐのに効果的である。
【０１７９】
また、本実施形態の場合、接着部材１０５が、第一内側貫通孔１４１ｉの周囲を全周にわたり囲むとともに、内側凹部１４１ｈの底部と側部カバー１０４の外側面に接着されている。このような接着部材１０５は、側部カバー１０４の周囲から内側凹部１４１ｈに進入した液体が、第一内側貫通孔１４１ｉに浸入することを防ぐのに効果的である。
【０１８０】
また、導光部材１０３の第二覆い部１０３ｄが、第二内側貫通孔１４１ｊの内周面と位置決め凸部１０３ｆの外周面との間の隙間の第一開口部（図１０の下側の開口部）の全体を塞いでいる。このような構成も、液体が収容空間１４１ｅに浸入することを防ぐのに効果的である。
【０１８１】
また、本実施形態の場合、導光部材１０３は、筐体１４１の内側凹部１４１ｈの底部と側部カバー１０４とで、導光部材１０３の支持部１０３ｂを挟むことにより、筐体１４１に支持されている。このため、導光部材１０３を筐体１４１に固定するための固定手段（たとえば、接着、締結部材による固定など）が不要となる。この結果、導光部材１０３の組み付け作業が容易となる。さらに、このような構成は、テンプル１４０の構成部品の数を減らせるため、テンプル１４０の軽量化を図ることができる。
【０１８２】
［実施形態２］
図１７を参照して、本発明に係る実施形態２の電子メガネについて説明する。なお、実施形態２に係る電子メガネおよびフレームでは、テンプル２４０の構成が実施形態１に係るテンプル１４０と異なる。そこで、以下、テンプル２４０についてのみ説明し、実施形態１に係る電子メガネ１００およびフレーム１２０の構成要素と同一の構成要素については、同一の符号を付してその説明を省略する。
【０１８３】
図１７は、実施形態２に係る電子メガネのテンプル２４０における部分断面模式図である。本実施形態の場合、テンプル２４０の接続部材２０１の構造が、前述の実施形態１と異なる。具体的には、本実施形態の場合、接続部材２０１の内側接続部材２０１Ｂは、導光部材２０３における位置決め凸部２０３ｆの先端部（図１７の上端部）に、位置決め凸部２０３ｆと一体に設けられる。
【０１８４】
このような内側接続部材２０１Ｂは、先端部に、後述する外側係合部２０１ａと係合可能な内側係合部２０１ｅを有する。内側係合部２０１ｅは、たとえば、雌ねじ部、雄ねじ部、凸部、凹部などである。なお、内側接続部材２０１Ｂは、導光部材２０３と別体の締結部材であってもよい。
【０１８５】
また、本実施形態の場合も、接続部材２０１の外側接続部材２０１Ａは、被接触部１４２の内側面に、被接触部１４２と一体に設けられる。ただし、外側接続部材２０１Ａの長さは、前述した実施形態１の外側接続部材１０１Ａの長さよりも長い。
【０１８６】
外側接続部材２０１Ａは、先端部に、内側係合部２０１ｅと係合可能な外側係合部２０１ａを有する。外側係合部２０１ａは、たとえば、雌ねじ部、雄ねじ部、凸部、凹部などである。このような外側接続部材２０１Ａは、幅方向における外側から筐体１４１の外側貫通孔１４１ｇ、および検出部１４５の貫通孔１５７Ａに挿通される。なお、外側接続部材２０１Ａは、被接触部１４２と別体の締結部材であってもよい。
【０１８７】
この状態において、内側接続部材２０１Ｂの内側係合部２０１ｅと、外側接続部材１０１Ａの外側係合部２０１ａとが係合する。なお、内側係合部２０１ｅと外側係合部２０１ａとの係合は、内側係合部２０１ｅおよび外側係合部２０１ａの構造に応じた各種の係合（たとえば、圧入、ねじ係合、キー係合など）であってよい。
【０１８８】
上述のような内側係合部２０１ｅと外側係合部２０１ａとの係合により、第一デバイスである被接触部１４２と、第二デバイスである導光部材２０３とが、接続部材２０１を介して固定される。これにより導光部材２０３および被接触部１４２が、接続部材２０１を介して筐体１４１に固定される。
【０１８９】
なお、詳細な説明は省略するが、本実施形態の場合も、被接触部１４２と検出部１４５とを電気的に接続するための接続手段が、被接触部１４２と検出部１４５との間に設けられる。その他の構造および作用・効果は、前述した実施形態１の場合と同様である。
【０１９０】
［実施形態３］
図１８を参照して、本発明に係る実施形態３の電子メガネについて説明する。なお、実施形態３に係る電子メガネおよびフレームでは、テンプル３４０の構成が実施形態１に係るテンプル１４０と異なる。そこで、以下、テンプル３４０についてのみ説明し、実施形態１に係る電子メガネ１００およびフレーム１２０の構成要素と同一の構成要素については、同一の符号を付してその説明を省略する。
【０１９１】
図１８は、実施形態３に係る電子メガネのテンプル３４０における部分断面模式図である。本実施形態の場合、テンプル３４０の接続部材３０１および導光部材３０３の構造が、前述の実施形態１と異なる。
【０１９２】
具体的には、本実施形態の場合、導光部材３０３は、前述の実施形態１の導光部材１０３が備える位置決め凸部１０３ｆを具備しない。その代わりに、導光部材３０３は、支持部３０３ｂの第二覆い部３０３ｄに、後述する外側係合部３０１ａと係合可能な内側係合部３０３ｇを有する。内側係合部３０３ｇは、たとえば、内周面が円筒面の貫通孔、内周面に雌ねじ部が形成されたねじ孔などである。
【０１９３】
接続部材３０１は、内側接続部材を具備しない。一方、本実施形態の場合も、接続部材３０１の外側接続部材３０１Ａは、被接触部１４２の内側面に、被接触部１４２と一体に設けられる。ただし、外側接続部材３０１Ａの長さは、前述した実施形態１の外側接続部材１０１Ａの長さよりも長い。外側接続部材３０１Ａは、先端部に、内側係合部３０３ｇと係合可能な外側係合部３０１ａを有する。外側係合部３０１ａは、たとえば、雄ねじ部、凸部などである。
【０１９４】
このような外側接続部材３０１Ａは、幅方向における外側から筐体１４１の外側貫通孔１４１ｇ、検出部１４５の貫通孔１５７Ａ、および筐体１４１の第二内側貫通孔１４１ｊに挿通される。この状態において、外側接続部材３０１Ａの外側係合部３０１ａと、導光部材３０３の内側係合部３０３ｇとが係合する。本実施形態の場合、外側係合部３０１ａが、導光部材３０３の位置決め凸部として機能する。
【０１９５】
以上のような外側係合部３０１ａと内側係合部３０３ｇとの係合により、第一デバイスである被接触部１４２と、第二デバイスである導光部材３０３とが、接続部材３０１を介して固定される。なお、詳細な説明は省略するが、本実施形態の場合も、被接触部１４２と検出部１４５とを電気的に接続するための接続手段が、被接触部１４２と検出部１４５との間に設けられる。なお、外側接続部材３０１Ａは、被接触部１４２と別体の締結部材であってもよい。その他の構造および作用・効果は、前述した実施形態１の場合と同様である。
【０１９６】
［実施形態４］
図１９を参照して、本発明に係る実施形態４の電子メガネについて説明する。なお、実施形態４に係る電子メガネおよびフレームでは、テンプル４４０の構成が実施形態１に係るテンプル１４０と異なる。そこで、以下、テンプル４４０についてのみ説明し、実施形態１に係る電子メガネ１００およびフレーム１２０の構成要素と同一の構成要素については、同一の符号を付してその説明を省略する。
【０１９７】
図１９は、実施形態４に係る電子メガネのテンプル４４０における部分断面模式図である。本実施形態の場合、テンプル４４０の導光部材４０３および接続部材４０１の構造が、前述の実施形態１と異なる。
【０１９８】
具体的には、本実施形態の場合、導光部材４０３は、支持部４０３ｂの第二覆い部４０３ｄに、段付き孔４０３ｈを有する。段付き孔４０３ｈは、幅方向における内側半部（図１９の下側半部）の内径が、幅方向における外側半部（図１９の上側半部）の内径よりも大きい。
【０１９９】
接続部材４０１の内側接続部材４０１Ｂは、たとえば、ビスやボルトなどの締結部材である。内側接続部材４０１Ｂは、後述する外側係合部４０１ａと係合可能な内側係合部４０１ｅを有する。内側係合部４０１ｅは、たとえば、外周面に形成された雄ねじ部である。このような内側接続部材４０１Ｂは、幅方向における内側から、段付き孔４０３ｈ、および筐体１４１の第二内側貫通孔１４１ｊに挿通される。
【０２００】
また、本実施形態の場合も、接続部材４０１の外側接続部材４０１Ａは、被接触部１４２の内側面に、被接触部１４２と一体に設けられる。ただし、外側接続部材４０１Ａの長さは、前述した実施形態１の外側接続部材１０１Ａの長さよりも長い。
【０２０１】
外側接続部材４０１Ａは、内側係合部４０１ｅと係合可能な外側係合部４０１ａを有する。外側係合部４０１ａは、たとえば、筒状の先端部の内周面に形成された雌ねじ部である。このような外側接続部材４０１Ａは、幅方向における外側から筐体１４１の外側貫通孔１４１ｇ、および検出部１４５の貫通孔１５７Ａに挿通される。なお、外側接続部材４０１Ａは、被接触部１４２と別体の締結部材であってもよい。
【０２０２】
この状態において、内側接続部材４０１Ｂの内側係合部４０１ｅと、外側接続部材４０１Ａの外側係合部４０１ａとが係合する。なお、内側係合部４０１ｅと外側係合部４０１ａとの係合は、内側係合部４０１ｅおよび外側係合部４０１ａの構造に応じた各種の係合（たとえば、圧入、ねじ係合、キー係合など）であってよい。
【０２０３】
上述のような内側係合部４０１ｅと外側係合部４０１ａとの係合により、第一デバイスである被接触部１４２と、第二デバイスである導光部材４０３とが、接続部材４０１を介して固定される。これにより導光部材４０３および被接触部１４２が、接続部材４０１を介して筐体１４１に固定される。
【０２０４】
なお、詳細な説明は省略するが、本実施形態の場合も、被接触部１４２と検出部１４５とを電気的に接続するための接続手段が、被接触部１４２と検出部１４５との間に設けられる。その他の構造および作用・効果は、前述した実施形態１の場合と同様である。
【０２０５】
（付記）
前述した各実施形態では、テンプルの内側面を第一面として、テンプルの外側面を第二面とした例について説明した。ただし、テンプルの外側面を第一面として、テンプルの内側面を第二面としてもよい。この場合には、テンプルの外側面に設けた外側凹部１４１ｆに配置されるデバイス（たとえば、被接触部１４２）が第一デバイスであり、テンプルの内側面に設けた内側凹部１４１ｈに配置されるデバイス（導光部材４０３）が第二デバイスである。また、外側凹部１４１ｆの外側貫通孔１４１ｇが第一孔である。このような構成を採用した場合には、締結部材として、少なくとも一部が外側貫通孔１４１ｇに挿通可能であって、導光部材４０３を筐体に対して固定可能なものを採用する。
【０２０６】
また、テンプルの上側面および下側面の何れか一方の面を第一面とし、他方の面を第二面としてもよい。この場合には、第一面の第一凹部と少なくとも一部と、第二面の第二凹部の少なくとも一部同士が、上下方向（高さ方向）に対面する。このような構成によれば、電子メガネ１００のテンプル１４０において第一デバイスである被接触部１４２および第二デバイスである導光部材１０３が設けられた部分の上下方向における寸法（高さ寸法）を小さくできる。
【０２０７】
また、前述した各実施形態は、第一デバイスが被接触部１４２であり、第二デバイスが導光部材１０３である場合について説明した。ただし、第一デバイスおよび第二デバイスは、前述の実施形態の場合に限定されない。たとえば、第一デバイスおよび第二デバイスは、音響装置、映像装置、発光装置、およびセンサ装置から選択される少なくとも１種類の装置により構成できる。具体的には、外側凹部１４１ｆに配置されるデバイスを第一デバイスとした場合には、第一デバイスとして、たとえば、カメラ、ディスプレイ、タッチセンサなどが挙げられる。一方、内側凹部１４１ｈに配置されるデバイスを第二デバイスとした場合には、第二デバイスとして、たとえば、発光装置、スピーカ、マイク、プロジェクタなどが挙げられる。なお、発光装置には、前述の各実施形態における導光部材１０３〜４０３のように光源１０２と組み合わされることにより発光装置を構成するような部材も含まれる。
【０２０８】
また、一対のテンプルを左右対称の構成とする場合には、左側用のテンプルは、前述した各実施形態における右側用のテンプル１４０と左右対称の構成とする。一対のテンプルのうち何れか一方を前述の各実施形態に係るテンプル１４０の構成とし、他方を筐体のみにより構成してもよい。
【０２０９】
さらに、前述の各実施形態では、アイウェアとして、電子メガネについて説明したが、本発明に係るアイウェアは、電子メガネに限定されない。アイウェアの他の例として、たとえば、サングラス、ゴーグル、ヘッドマウントディスプレイなどが挙げられる。
【０２１０】
２０１７年９月２５日出願の特願２０１７−１８３３０５、および、２０１７年９月２５日出願の特願２０１７−１８３３０７の日本出願に含まれる明細書、図面、および、要約書の開示内容は、すべて本願に援用される。
【産業上の利用可能性】
【０２１１】
本発明に係るフレーム部品は、各種のアイウェア用のテンプル、フレームおよびアイウェアに好適に利用されうる。
【符号の説明】
【０２１２】
１００  電子メガネ（アイウェア）
１１０  レンズ
１１０１  第一領域（電気活性領域）
１１０２  第二領域
１１１  第一基板
１１２  第一電極
１１３  液晶層
１１４  第二電極
１１５  第二基板
１１６  接着層
１１７  回折領域
１１７１  凸部
１１７２  第一凸条
１２０  フレーム
１３０  フロント
１３１  リム
１３２  ブリッジ
１３３  鼻パッド
１４０、２４０、３４０、４４０  テンプル
１４１  筐体
１４１ａ  外側壁部
１４１ｂ  内側壁部
１４１ｃ  上側壁部
１４１ｄ  下側壁部
１４１ｅ  収容空間
１４１ｆ  外側凹部
１４１ｇ  外側貫通孔
１４１ｈ  内側凹部
１４１ｉ  第一内側貫通孔
１４１ｊ  第二内側貫通孔
１４１ｋ  第一ガイド溝
１４１ｍ  第二ガイド溝
１４１ｎ  平行溝部
１４１ｐ  傾斜溝部
１４１１  第二凸条
１４１３  第一開口部
１４２  被接触部
１４２ａ  被接触部側凸条
１４５  検出部
１４６  前端部カバー
１４６Ａ  筒状部
１４６ａ  第１壁部
１４６ｂ  第２壁部
１４６ｃ  第３壁部
１４６ｄ  第４壁部
１４６ｅ  前壁部
１４６ｆ  位置決め凹部
１４６ｇ  位置決め段部
１４６ｈ  位置決め凸部
１４６ｉ  位置決め鍔部
１４６ｊ  ＦＰＣ用貫通孔
１４６ｋ  ガイド面
１４８  導電板
１４８ａ  内側導通部
１５０  検出用積層体
１５１  基板
１５１ａ  外側基板
１５１ｂ  内側基板
１５２  第二接地部
１５３  検出パッド
１５３ａ  検出領域
１５５  外側板状部材
１５５ａ  外側導通部
１５６ａ〜１５６ｅ  絶縁層
１５７Ａ  貫通孔
１５７ａ〜１５７ｋ  貫通孔要素
１５８Ａ  導通部
１５８ａ〜１５８ｋ  導通部
１０１、２０１、３０１、４０１  接続部材
１０１Ａ、２０１Ａ、３０１Ａ、４０１Ａ  外側接続部材
１０１Ｂ、２０１Ｂ、４０１Ｂ  内側接続部材
１０１ａ、２０１ａ、３０１ａ、４０１ａ  外側係合部
１０１ｂ  頭部
１０１ｃ  軸部
１０１ｄ  係合部
１０１ｅ、２０１ｅ、４０１ｅ  内側係合部
１０２  光源
１０２ａ  光源
１０３、２０３、３０３、４０３  導光部材
１０３ａ  導光本体部
１０３ｂ、３０３ｂ、４０３ｂ  支持部
１０３ｃ  第一覆い部
１０３ｄ、３０３ｄ、４０３ｄ  第二覆い部
１０３ｅ  連続部
１０３ｆ、２０３ｆ  位置決め凸部
３０３ｇ  内側係合部
４０３ｈ  段付き孔
１０４  側部カバー
１０４ａ  露出用貫通孔
１０４ｂ  識別情報
１０５  接着部材
１０５ａ  収容孔
１０７  ＦＰＣ
１６０  制御部
１７０  電源
１８０  工具
【図１】
2019059380.tif 000003
【図２】
2019059380.tif 000004
【図３】
2019059380.tif 000005
【図４】
2019059380.tif 000006
【図５】
2019059380.tif 000007
【図６】
2019059380.tif 000008
【図７】
2019059380.tif 000009
【図８】
2019059380.tif 000010
【図９】
2019059380.tif 000011
【図１０】
2019059380.tif 000012
【図１１】
2019059380.tif 000013
【図１２】
2019059380.tif 000014
【図１３】
2019059380.tif 000015
【図１４】
2019059380.tif 000016
【図１５】
2019059380.tif 000017
【図１６】
2019059380.tif 000018
【図１７】
2019059380.tif 000019
【図１８】
2019059380.tif 000020
【図１９】
2019059380.tif 000021
【国際調査報告】
2019059380.tif 000022
2019059380.tif 000023
2019059380.tif 000024
2019059380.tif 000025